(57)【要約】      （修正有）【課題】鉛筆挿入孔に挿入され、鉛筆挿入孔内に埋没してしまう短い鉛筆を容易かつ迅速に排出して、次回の使用を可能とする電動鉛筆削り機を提供する。【解決手段】鉛筆をボディに設けられた鉛筆挿入孔へ挿入して切削する電動鉛筆削り機において、上記鉛筆挿入孔には上記鉛筆挿入孔の軸方向に対して直交して連設され、挿入された鉛筆を排出させうる凹部がボディ表面に設けられている。【選択図】図１
0003156048.tif 000002
【実用新案登録請求の範囲】
【請求項１】
鉛筆をボディ表面部に設けられた鉛筆挿入孔へ挿入して切削する電動鉛筆削り機において、上記鉛筆挿入孔には上記鉛筆挿入孔の軸方向に対して直交して連設され、挿入された鉛筆を排出させうる凹部がボディ表面部に設けられていることを特徴とする電動鉛筆削り機。
【請求項２】
上記鉛筆挿入孔は、上記ボディの側面部に開設されていると共に、上記凹部は上記鉛筆挿入孔から上記ボディの上面部に向かって設けられていることを特徴とする請求項１記載の電動鉛筆削り機。
【請求項３】
上記凹部は、上記鉛筆挿入孔の開口部に連設され、側方に開口するように設けられていることを特徴とする請求項２記載の電動鉛筆削り機。
【請求項４】
上記凹部は、鉛筆挿入孔の直径寸法よりも細幅に設けられていることを特徴とする請求項３記載の電動鉛筆削り機。
【請求項５】
上記凹部は、鉛筆挿入孔から上面部へ向かう溝部として形成されていることを特徴とする請求項４記載の電動鉛筆削り機。
【考案の詳細な説明】
【技術分野】
【０００１】
本考案は、電動鉛筆削り機の改良に関し、特に、短くなった鉛筆を鉛筆挿入孔から排出させやすい電動鉛筆削り機に関する。
【背景技術】
【０００２】
従来より、広く、電動鉛筆削り機が使用されている。図３及び図４に示すように、このような電動鉛筆削り機３０にあっては、一般に、ボディ３１の側面部３２に開設された鉛筆挿入孔３３に鉛筆３４を挿入した場合には、自動的に内装されたモータが起動して刃部により鉛筆３４が切削されるように構成されている。
【０００３】
この場合、ボディ３１に設けられた鉛筆挿入孔３３の開口表面から鉛筆頭部の切削位置までは所定の間隔寸法があることから、鉛筆挿入孔に挿入した場合に、後端部が鉛筆挿入孔の開口部から突出しない程度に短くなった鉛筆は、鉛筆挿入孔３３内に挿入した場合であっても、それ以上、指等で押し込むことはできないため切削することが不可能となる。
【０００４】
従って、このような、電動鉛筆削り機３０により切削されない状態にまで短い鉛筆３４を鉛筆挿入孔３３に挿入してしまった場合には、排出する必要があるが、鉛筆挿入孔３３は、鉛筆３４が挿入できる直径に開設されていることから、鉛筆挿入孔３３の開口部から鉛筆後端部が外方へ突出しない場合には鉛筆３４を鉛筆挿入孔３３から指等を使って引き出すことができないため、その後の使用に支障をきたす、という不具合があった。
【０００５】
また同様に、所定の長さ寸法の鉛筆３４を挿入して切削したが、切削した結果短くなってしまい、鉛筆３４の後端部が上記鉛筆挿入孔３３から外方へ突出せず鉛筆挿入孔３３内に埋没した状態に至る場合がある。
このような場合にも、鉛筆挿入孔３３から切削して短くなった鉛筆３４を排出する必要があるが、上記同様の事情から迅速に排出することは困難であった。
【考案の開示】
【考案が解決しようとする課題】
【０００６】
そこで、本考案の課題は、鉛筆挿入孔に挿入され、鉛筆挿入孔内に埋没してしまう短い鉛筆を容易かつ迅速に排出して、次回の使用を可能とする電動鉛筆削り機を提供することにある。
【課題を解決するための手段】
【０００７】
上記課題を解決するために、請求項１記載の考案にあっては、鉛筆をボディに設けられた鉛筆挿入孔へ挿入して切削する電動鉛筆削り機において、上記鉛筆挿入孔には上記鉛筆挿入孔の軸方向に対して直交して連設され、挿入された鉛筆を排出させうる凹部がボディ表面に設けられていることを特徴とする。
従って、請求項１記載の考案にあっては、上記凹部に、適宜、細型のドライバー又はキリ等の器具又は工具を挿入して鉛筆挿入孔に挿入された鉛筆を把持しつつ、鉛筆挿入孔から排出させることができる。  
【０００８】
請求項２記載の考案にあっては、上記鉛筆挿入孔は、上記ボディの側面部に開設されていると共に、上記凹部は上記鉛筆挿入孔から上記ボディの上面部に至って設けられていることを特徴とする。
従って、請求項２記載の考案にあっては、電動鉛筆削り機の上方から細型のドライバー又はキリ等の器具又は工具を使って凹部を介して鉛筆を排出させることができる。
【０００９】
請求項３記載の考案にあっては、上記凹部は、上記鉛筆挿入孔の開口部に連設され、側方に開口するように設けられていることを特徴とする
請求項４記載の考案にあっては、上記凹部は、鉛筆挿入孔の直径寸法よりも細幅に設けられていることを特徴とする。
【００１０】
従って、請求項４記載の考案にあっては、上記凹部は指が挿入できない幅寸法に形成されており、誤って指を鉛筆挿入孔へ進入させるおそれがない。
【００１１】
請求項５記載の考案にあっては、上記凹部は、鉛筆挿入孔から上面部へ向かう溝部として形成されている。
従って、請求項５記載の考案にあっては、机上に置かれた電動鉛筆削り機の上方からドライバー、キリ等の適宜の器具又は工具を使用して鉛筆を鉛筆挿入孔から排除することができる。
【考案の効果】
【００１２】
請求項１及び３記載の考案にあっては、挿入しても切削されず、鉛筆挿入孔の開口部から鉛筆後端部が突出しない状態に至った短い鉛筆であっても、容易かつ迅速に鉛筆挿入孔から排出し、次回の使用に備えることができる。
請求項２及び５記載の考案にあっては、電動鉛筆削り機の上方から、適宜の、細型のドライバー又はキリ等の工具又は器具を凹部に挿入して、例えば、机上に置かれた電動鉛筆削り機の上方から、凹部を介して鉛筆を排出させることができることから、短くなった鉛筆を容易に鉛筆挿入孔から排出させることができる。
【００１３】
請求項４記載の考案にあっては、上記凹部は、鉛筆挿入孔の直径寸法よりも細幅に形成されていることから、記凹部は指が挿入できない幅寸法により形成されており、誤って指を鉛筆挿入孔へ挿入するおそれがなく、低学年の学童が使用する場合においても安全な使用を確保することができる。
【図面の簡単な説明】
【００１４】
【図１】本考案に係る電動鉛筆削り機の一実施の形態を示す斜視図である。
【図２】本考案に係る電動鉛筆削り機の一実施の形態を示す、図１の2―2線断面図である。
【図３】本考案に係る電動鉛筆削り機の一実施の形態を示す斜視図である。
【図４】本考案に係る電動鉛筆削り機の一実施の形態を示す、図１の4―4線断面図である。
【考案を実施するための最良の形態】
【００１５】
以下、添付図面に示す実施の形態に基づき、本考案に係る電動鉛筆削り機を詳細に説明する。
図１に示すように、本実施の形態に係る電動鉛筆削り機１０は、全体略立方体形状に形成され、合成樹脂製のボディ１１内に、適宜のモータにより駆動される刃部（図示せず）を備え、上記ボディ１１の側面正面部１７に開設された鉛筆挿入孔１２から、切削しようとする鉛筆１９を挿入した場合には、内装されたスイッチが作動してモータを起動させ、刃部により鉛筆１９の頭部を切削するように構成されている。
【００１６】
本実施の形態にあっては、上記鉛筆挿入孔１２は側方正面部１７の幅方向の一端部寄りであって、かつ上下方向において、やや上面部寄りの部位に開設されている。
【００１７】
上記鉛筆挿入孔１２には、上記鉛筆挿入孔１２の軸方向に対して直交して設けられ、挿入された鉛筆を排出させうる凹部１３がボディ１１の表面部に連設されており、上記凹部１３は上記鉛筆挿入孔１２から上記ボディ１１の上面部１５に向かう細幅の溝状に、所定の長さ寸法に亘って形成されている。  
【００１８】
上記凹部１３は、ボディ１１の側方に開口して設けられており、鉛筆挿入孔１２の直径寸法よりも極めて小さな幅寸法に形成され、キリや、細径のマイナスドライバー等の器具又は工具を使用して鉛筆後端部を引き出しうる長さ寸法に形成されている。
【００１９】
以下、本実施の形態に係る電動鉛筆削り機１０の作用について説明する。
本実施の形態に係る電動鉛筆削り機１０を使用する場合には、上記鉛筆挿入孔１２に鉛筆１９を挿入して切削する。
【００２０】
この場合、挿入して鉛筆が短く、鉛筆挿入孔１２に挿入した場合に、鉛筆の後端部が鉛筆挿入孔１２から充分に突出しない程度の長さ寸法であり、切削に不都合となる場合であっても、鉛筆１９の後端部は上記凹部１３内に配置されていることから、上記溝状の凹部１３から細径のマイナスドライバーやキリ等の器具又は工具を進入させて、上記鉛筆挿入孔１２内において上記鉛筆１９の後端部を把持して鉛筆挿入孔１２から排出させることができる。
【００２１】
この場合、本実施の形態にあっては、上記凹部１３は、上記鉛筆挿入孔１２から上記ボディの上面部１５方向に向かって、側方に開口するように設けられていることから、使用者は机上等に載置した電動鉛筆削り機１０の上方からマイナスドライバー等の器具を凹部１３内に挿入することができるため、鉛筆１９の排出作業が行いやすい。
【００２２】
なお、上記凹部１３の具体的構成に関しては上記実施の形態に限定されない。
本実施の形態にあっては、鉛筆挿入孔１２から上面部１５方向に向かって凹部１３が設けられている場合を例に説明したが、例えば、鉛筆挿入孔１２から側面部に向かって形成されている場合であってもよい。
【産業上の利用可能性】
【００２３】
本考案は、電動鉛筆削り機に広く適用することができる。
【符号の説明】
【００２４】
１０  電動鉛筆削り機
１１  ボディ
１２  鉛筆挿入孔
１３  凹部
１５  上面部
１７  側方正面部
１９  鉛筆
３０  電動鉛筆削り機
３１  ボディ
３３  鉛筆挿入孔
３４  鉛筆
【図１】
0003156048.tif 000003
【図２】
0003156048.tif 000004
【図３】
0003156048.tif 000005
【図４】
0003156048.tif 000006